(57)【要約】  【課題】収納空間内部の機器の配線の際の使い勝手を確保しつつ、収納空間内部の機器の盗難に対する安全性を向上させる。  【解決手段】家具Ｆに、前方及び後方に開口する収納空間１ｓを有する家具本体１と、この収納空間１ｓを前方に開放する開放状態及び前記収納空間１ｓを隠蔽する閉止状態を選択的に取り得る前扉２と、この前扉２を前記閉止状態にロック可能な前ロック機構３と、この収納空間１ｓを後方に開放する開放状態及び前記収納空間１ｓを隠蔽する閉止状態を選択的に取り得る背壁４と、この背壁４を前記閉止状態にロック可能な後ロック機構５とを具備させ、前記後ロック機構５に対する操作を前記収納空間１ｓ内からのみ行うことができるようにする。  【選択図】図４
2007117501.tif 000002
【特許請求の範囲】
【請求項１】
前方及び後方に開口する収納空間を有する家具本体と、この収納空間を前方に開放する開放状態及び前記収納空間を隠蔽する閉止状態を選択的に取り得る前扉と、この前扉を前記閉止状態にロック可能な前ロック機構と、この収納空間を後方に開放する開放状態及び前記収納空間を隠蔽する閉止状態を選択的に取り得る背壁と、この背壁を前記閉止状態にロック可能な後ロック機構とを具備し、前記後ロック機構に対する操作を前記収納空間内からのみ行うことができる構成を有することを特徴とする家具。
【請求項２】
前記後ロック機構を、前記背壁及び前記家具本体に設けた挿通孔と、これら挿通孔に前記収納空間内から挿通してなり前記家具本体との間で背壁を挟持する背壁取付部材とを利用して設けていることを特徴とする請求項１記載の家具。
【請求項３】
前記収納空間の頂面を形成する頂壁又は前記収納空間の底面を形成する底壁のうち少なくとも一方と、前記閉止状態にある背壁との間に配線を挿通可能な配線挿通空間を設けていることを特徴とする請求項１又は２記載の家具。
【請求項４】
前記収納空間の頂面を形成する頂壁又は前記収納空間の底面を形成する底壁のうち少なくとも一方の背面と、前記家具本体に取り付けた状態の背壁の背面とが略面一に連続するよう構成していることを特徴とする請求項１、２又は３記載の家具。
【請求項５】
前記家具本体が、左右１対に起立させて設けた脚体と、脚体間に支持させた物品収納体とを具備するとともに、この物品収納体が、前記脚体間に支持させてなる頂壁と、この頂壁よりも下方の位置で前記脚体間に支持させてなる底壁と、これら頂壁及び底壁間の位置に配設されいずれかの脚体に支持させてなる左右１対の側壁と、これら頂壁、底壁、及び側壁により区画され前方及び後方に開口する収納空間とを具備することを特徴とする請求項１、２、３又は４記載の家具。
【発明の詳細な説明】
【技術分野】
【０００１】
本発明は、前方に開放可能な収納空間を有する家具に関する。
【背景技術】
【０００２】
従来、パーソナルコンピュータ（以下、パソコンと記す）等の個人情報を記憶するための機器を収納するための家具が種々用意されている。このような家具の一例として、例えば、パソコン等を収納可能であり前方に開放する収納空間と、この収納空間を隠蔽可能な前扉を有するものが考えられている。（例えば、特許文献１を参照。）
【特許文献１】特開２０００―１３９５８１号公報
【発明の開示】
【発明が解決しようとする課題】
【０００３】
ところで、近時、個人情報保護法の施行等を受け、個人情報を記憶するための機器の盗難防止が意識されてきている。このような目的を達成すべく、例えば特許文献１記載のような家具に、前扉を前記収納空間を隠蔽する閉止状態にロック可能なロック機構を設ける構成が考えられる。
【０００４】
一方、特許文献１記載の構成では、前記機器の配線を可能にすべく、前記背壁の一部に配線を挿通可能な開口又は切欠部を背壁に設けているが、そのほかに、背壁にパンチ孔を設け配線挿通孔として利用する態様や、前記背壁を着脱可能に構成する態様が考えられる。
【０００５】
しかし、前記背壁の一部に配線を挿通可能な開口又は切欠部を背壁に設ける態様や、背壁にパンチ孔を設け配線挿通孔として利用する態様では、機器と配線とを接続する際に、配線を前記開口、切欠部、又は配線挿通孔に挿通させる動作を必要とするので、使い勝手が悪く感じられることがあり得る。
【０００６】
また、前記背壁を着脱可能に構成する態様では、前記ロック機構を利用して前扉を前記閉止状態にロックしていても、前記背壁が常に着脱可能である場合、背壁を取り外して収納空間内部にアクセスする手口による機器の盗難が発生しうる。
【０００７】
本発明は、このような課題を解決し、配線の際の使い勝手を向上させつつ収納空間内部に収納した機器の盗難に対する安全性をも確保すべく構成するものである。
【課題を解決するための手段】
【０００８】
すなわち本発明に係る家具は、前方及び後方に開口する収納空間を有する家具本体と、この収納空間を前方に開放する開放状態及び前記収納空間を隠蔽する閉止状態を選択的に取り得る前扉と、この前扉を前記閉止状態にロック可能な前ロック機構と、この収納空間を後方に開放する開放状態及び前記収納空間を隠蔽する閉止状態を選択的に取り得る背壁と、この背壁を前記閉止状態にロック可能な後ロック機構とを具備し、前記後ロック機構に対する操作を前記収納空間内からのみ行うことができる構成を有することを特徴とする。
【０００９】
このようなものであれば、前記後ロック機構に対する操作を収納空間内からのみ行うことができるようにしている、すなわち収納空間外からの後ロック機構に対する操作を不可能にしているので、背壁を前記閉止状態とした上で前ロック機構を機能させて前扉を閉止状態にロックすれば、収納空間内へのアクセスを非常に困難にすることができる。すなわち、内部の機器が盗難される事態が発生する可能性を大幅に低下させることができる。それとともに、背壁が前記開放状態と前記閉止状態とを選択的に取り得るようにしていることに伴う、収納空間内の機器の配線を行う際には背壁を開放状態として収納空間に後方から容易にアクセスできるようにし使い勝手の向上を図ることができる効果はそのまま確保できる。
【００１０】
また、簡単な構成で前記収納空間内からのみアクセス可能な後ロック機構を実現できる構成として、前記後ロック機構を、前記背壁及び前記家具本体に設けた挿通孔と、これら挿通孔に前記収納空間内から挿通してなり前記家具本体との間で背壁を挟持する背壁取付部材とを利用して設けているものが挙げられる。
【００１１】
さらに、前記収納空間内の機器に接続した電源ケーブルや情報ケーブル等の配線を収納空間外部に無理なく挿通させるための態様として、前記収納空間の頂面を形成する頂壁又は前記収納空間の底面を形成する底壁のうち少なくとも一方と、前記閉止状態にある背壁との間に配線を挿通可能な配線挿通空間を設けているものが挙げられる。
【００１２】
また、前記収納空間の頂面を形成する頂壁又は前記収納空間の底面を形成する底壁のうち少なくとも一方の背面と、前記家具本体に取り付けた状態の背壁の背面とが略面一に連続するよう構成しているものであれば、背壁と頂壁との間、ないし背壁と底壁との間から手等が収納空間内に挿入されて背壁が取り外される事態の発生を起こりにくくでき、より盗難に対する安全性を高めることができる。なお、「略面一に連続する」とは、間に平均的な体格の成人が手を差し入れることができない大きさを有する空間を設ける態様を含む概念である。
【００１３】
以上に述べた効果を好適に実現できる家具として、前記家具本体が、左右１対に起立させて設けた脚体と、脚体間に支持させた物品収納体とを具備するとともに、この物品収納体が、前記脚体間に支持させてなる頂壁と、この頂壁よりも下方の位置で前記脚体間に支持させてなる底壁と、これら頂壁及び底壁間の位置に配設されいずれかの脚体に支持させてなる左右１対の側壁と、これら頂壁、底壁、及び側壁により区画され前方及び後方に開口する収納空間とを具備するものが挙げられる。
【発明の効果】
【００１４】
本発明に係る構成を採用すれば、前記後ロック機構に対する操作を収納空間内からのみ行うことができるようにしているので、収納区間内部の機器を使用しない場合には背壁を閉止状態にロックした状態で前扉を閉止状態にロックすることにより背壁取り外し操作が不可能になり、収納空間内へのアクセスを非常に困難にして前記機器の盗難を防止することができる。そして、配線の際には背壁を開放状態にして収納空間内部の配線作業を容易に行えるようにし、使い勝手の向上を図ることができる効果も得ることができる。
【発明を実施するための最良の形態】
【００１５】
以下、本発明の一実施形態を、図面を参照して説明する。
【００１６】
この実施形態に係る家具Ｆは、図１〜図６に示すように、前方及び後方に開口する収納空間１ｓを有する家具本体１と、この収納空間１ｓを前方に開放する開放状態Ｏ及び前記収納空間１ｓを隠蔽する閉止状態Ｏを選択的に取り得る前扉２と、この前扉２を前記閉止状態にロック可能な前ロック機構３と、この収納空間１ｓを後方に開放する開放状態Ｏ及び前記収納空間１ｓを隠蔽する閉止状態Ｓを選択的に取り得る背壁４と、この背壁４を前記閉止状態にロック可能な後ロック機構５とを具備する。なお、図１には前記前扉２を閉止状態Ｓとした際の全体斜視図、図２には前記前扉２を開放状態Ｏとした際の正面図、図３には図２におけるｘ−ｘ断面図、図４には図２におけるｙ−ｙ断面の要部を拡大して示した図、図５には図４の要部をさらに拡大して示した図、図６には前記後壁４を取り外して開放状態Ｏとした際の背面斜視図をそれぞれ示している。また、前記図３には、閉止状態Ｓにある前扉２を想像線により示している。
【００１７】
前記家具本体１は、左右１対に起立させて設けた脚体１１、１１と、脚体１１、１１の上端間を接続する天板１２と、脚体１１、１１の下端近傍間を接続する底板１３と、脚体１１、１１間に支持させた物品収納体６とを具備する。
【００１８】
前記脚体１１は、前記図１、図２、及び図３に示すように、前後１対に設けた支柱１１１、１１１と、これら支柱１１１、１１１の下端間を接続するとともに、前側の支柱１１１よりも前方に張り出した形状のベース１１２と、このベース１１２の下方に設けたキャスタ１１３とを具備する。
【００１９】
前記天板１２は、本実施形態では上面に物品を載置可能な平板であり、前記脚体１１、１１の上端に取り付けている。
【００２０】
前記底板１３も、本実施形態では上面に物品を載置可能な平板であり、前記脚体１１、１１のベース１１２、１１２間に横架して取り付けている。
【００２１】
前記物品収納体６は、前記図１、図２、及び図３に示すように、前記脚体１１、１１間に支持させてなる頂壁６１と、この頂壁６１よりも下方の位置で前記脚体１１、１１間に支持させてなる底壁６２と、これら頂壁６１及び底壁６２間の位置に配設されいずれかの脚体１１に支持させてなる左右１対の側壁６３、６３とを具備するとともに、これら頂壁６１、底壁６２、及び側壁６３、６３により区画され前方及び後方に開口する前記収納空間１ｓをさらに具備する。この物品収納体６は、前記収納空間１ｓ内部に例えばパーソナルコンピュータ等を好適に収納可能であるとともに、前記頂壁６１の上面にもディスプレイ装置等の物品を載置可能なものである。
【００２２】
さらに本実施形態では、収納空間１ｓ内部に、全体が収納空間１ｓ内部に位置する収納状態と、略全体が収納区間前方に位置する引出状態とを選択的に取り得る移動天板６４を設けている。この移動天板６４は、前記側壁６３、６３に設けた移動天板支持ブラケット６５、６５に支持させている。これら移動天板６４及び移動天板支持ブラケット６５、６５は、パソコンラックのキーボード用天板、及びこのキーボード用天板を支持するブラケットとして従来周知のものと同様の構成を有する。
【００２３】
一方、前記前扉２は、上述したように収納空間１ｓを前方に開放する開放状態Ｏ及び前記収納空間１ｓを隠蔽する閉止状態Ｓを選択的に取り得る。具体的には、前記開放状態Ｏにおいては、前記物品収納体の側壁６３、６３に設けた前扉スライド支持部６６に前後方向にスライド可能に支持されている。一方、前記閉止状態Ｓにおいては、この前扉２の両側端の上端部に設けた保持軸６７が前記物品収納体の側壁６３、６３に設けた図示しない保持孔に係合し、前扉２の下端部が前記底壁６２の前方に位置して、この前扉２が前記収納空間１ｓの前方を閉塞するようにしている。
【００２４】
また、前記前ロック機構３は、前記前扉２の下端部に設けた錠前部３１と、前記底壁６２に設けたロック孔（図示略）とを利用して形成している。すなわち、前扉２を閉止状態として錠前部３１に対する施錠操作を行うと、この錠前部３１からロック爪３２が突出して前記ロック孔と係合する周知の構成のものである。
【００２５】
また、前記背壁４も、上述したように収納空間１ｓを後方に開放する開放状態Ｏ及び前記収納空間１ｓを隠蔽する閉止状態Ｓを選択的に取り得る。具体的には、この背壁４は、前記図４、図５、及び図６に示すように、板金加工により形成していて、閉止状態において収納空間と後方の空間とを区画する背壁本体４１と、この背壁本体４１の上下両縁部からそれぞれ前方に延伸する上枠４２及び下枠４３と、前記背壁本体４１の左右両縁部からそれぞれ前方に延伸する側枠４４、４４と、この側枠４４、４４を切り欠いて形成していて前記脚体１１の支柱１１１に設けた係合突起１１１ａに係止可能な係合凹部４５とを有する。さらに、前記収納空間１ｓの頂面を形成する頂壁６１及び前記収納空間１ｓの底面を形成する底壁６２と、前記閉止状態Ｓにある背壁４との間に、配線を挿通可能な配線挿通空間４ｓ、４ｓを設けている。そして、この配線挿通空間４ｓ、４ｓの幅寸法を、平均的な体格の成人が手を差し入れることができない大きさに設定し、前記頂壁６１及び前記底壁６２の背面と、前記閉止状態Ｓにある背壁４の背面とが略面一に連続するようにしている。
【００２６】
しかして前記後ロック機構５は、本実施形態では、この後ロック機構５に対する操作を前記収納空間１ｓ内からのみ行うことができるようにすべく以下のように構成している。
【００２７】
すなわち本実施形態では、前記後ロック機構５は、前記図４及び図５に示すように、前記背壁４に設けた挿通孔４ｘ及び前記家具本体１、具体的には前記脚部１１、１１の後側の支柱１１１、１１１に設けた挿通孔１１１ｘ、１１１ｘと、これら挿通孔１１１ｘ、１１１ｘに前記収納空間１ｓ内から挿通してなり前記家具本体１との間で背壁４を挟持する背壁取付部材５１とを利用して設けている。さらに詳述すると、この背壁取付部材５１は、樹脂ファスナとして周知のものであって、前記挿通孔に挿通可能な軸部５１１ａ、及びこの軸部５１１ａの一端部に形成した頭部５１１ｂを有する雄部材５１１と、前記挿通孔の縁部に当接する頭部５１２ａ、この頭部５１２ａから突出し前記雄部材５１１の軸部５１１ａを挿通可能な受孔５１２ｘ、及び前記受孔５１２ｘ内に前記軸部５１１ａを挿通した際に拡開して挿通孔４ｘ、１１１ｘより大径となり頭部５１２ａとの間で前記背壁４及び支柱１１１を挟持する抜け止め部５１２ｂを有する雌部材５１２とを具備する。
【００２８】
すなわち、この背板４の取り付けは、まず前記背壁４に設けた挿通孔４ｘ及び前記家具本体１、具体的には前記脚部１１、１１の後側の支柱１１１、１１１に設けた挿通孔１１１ｘ、１１１ｘを重合させ、次いで前記背壁取付部材５１の雌部材５１２を収納空間１ｓ内においてこれら挿通孔４ｘ、１１１ｘに挿通させ、それから前記雌部材５１２の受孔５１２ｘに前記雄部材５１１を挿通させて行うようにしている。一方、この背板４の取り外しは、以上に述べた背板４の取り付けと逆の手順により行うようにしている。すなわち、まず前記雄部材５１１を前記雌部材５１２の受け孔５１２ｘから抜脱し、次いで前記雌部材を前記挿通孔４ｘ、１１１ｘから抜脱して背板４が閉止状態にロックされた状態を解除することにより行うようにしている。以上の取り外し操作は収納空間１ｓ内において前記背壁取付部材５１にアクセスすることによりはじめて行うことができるようにしている。また、この取り外し操作は、本実施形態では、さらなる使い勝手の向上を図るべく、工具を用いない手動操作により行えるようにしている。
【００２９】
以上に述べたように、本実施形態に係る家具Ｆは、前記後ロック機構５に対する操作を前記収納空間１ｓ内からのみ行うことができるようにしているので、収納空間１ｓ外からの後ロック機構５に対する操作は不可能であり、背壁４を前記閉止状態Ｓとした上で前ロック機構３を機能させて前扉２を閉止状態Ｓにロックすれば、収納空間１ｓ内へのアクセスを非常に困難にすることができる。すなわち、内部の機器が盗難される事態が発生する可能性を大幅に低下させることができる。それとともに、背壁４が前記開放状態Ｏと前記閉止状態Ｓとを選択的に取り得るようにしていることに伴う、収納空間１ｓ内の機器の配線を行う際には背壁４を開放状態Ｏとして収納空間１ｓに後方から容易にアクセスできるようにし使い勝手の向上を図ることができる効果はそのまま得ることができる。
【００３０】
前記後ロック機構５を、前記背壁４及び前記家具本体１に設けた挿通孔４ｘ、１１１ｘと、これら挿通孔４ｘ、１１１ｘに前記収納空間１ｓ内から挿通してなり前記家具本体１との間で背壁４を挟持する背壁取付部材５１とを利用して設けているので、簡単な構成で前記収納空間１ｓ内からのみアクセス可能な後ロック機構５を実現できる。
【００３１】
さらに、前記収納空間１ｓの頂面を形成する頂壁６１及び前記収納空間１ｓの底面を形成する底壁６２と、前記閉止状態Ｓにある背壁４との間に配線を挿通可能な配線挿通空間４ｓを設けているので、前記収納空間１ｓ内の機器に接続した電源ケーブルや情報ケーブル等の配線を収納空間１ｓ外部に無理なく挿通させることができる。
【００３２】
さらに、前記頂壁６１及び前記底壁６２の背面と、前記閉止状態Ｓにある背壁４の背面とが略面一に連続するよう構成しているので、背壁４と頂壁６１との間、ないし背壁４と底壁６２との間から手等が収納空間１ｓ内に挿入されて背壁４が取り外される事態の発生を起こりにくくでき、より盗難に対する安全性を高めることができる。
【００３３】
なお、本発明は以上に述べた実施形態に限られない。
【００３４】
例えば、背壁の一側縁を蝶番等を用いてこの側縁を軸に回転可能に家具本体に取り付けるとともに、収納空間内にこの背壁と係合して閉止状態にある背壁の開放状態への移動を規制する移動規制部を設ける態様を採用してもよい。この移動規制部は、収納空間側からの工具を用いない手動操作により係合状態を解除可能に構成するとなおよいが、収納空間側からドライバ等の工具を用いて係合状態を解除可能に構成したものでももちろんよい。また、背壁を家具本体に収納空間側からネジ止めする態様を採用してもよい。
【００３５】
さらに、背壁の一部に切欠部又は配線挿通孔を設け、配線挿通空間として機能させるとともに、切欠部又は配線挿通孔の大きさを平均的な体格の成人が手を差し入れることができない大きさ、例えば直径５ｃｍ以下に設定する態様も考えられる。この態様では、背壁を取り外した状態での配線作業が終了し次第配線を前記切欠部又は配線挿通孔に挿通させ、背壁を装着するようにするとよい。
【００３６】
加えて、このような家具の背面をほとんど露出させない場合等、このような家具の背面の外観があまり問題とならない場合には、必ずしも背壁の背面を頂壁又は底壁の背面と略面一にする必要はない。
【００３７】
そして、家具本体は、例えば物品収納体と、物品収納体の下方に設けられ建築床面から起立させてなる４本の脚と、物品収納体の上方に設けた棚とを具備する態様を採用する等、種々に構成してよい。
【００３８】
その他、本発明の趣旨を逸脱しない範囲で種々変形が可能である。
【図面の簡単な説明】
【００３９】
【図１】本発明の第一実施形態に係る家具の斜視図。
【図２】同実施形態に係る家具の正面図。
【図３】図２におけるｘ−ｘ断面図。
【図４】図２におけるｙ−ｙ断面の要部を拡大して示した図。
【図５】図４における支柱付近をさらに拡大して示した図。
【図６】同実施形態に係る家具の背壁を取り外した状態を示す背面斜視図。
【符号の説明】
【００４０】
Ｆ…家具
１…家具本体
１ｓ…収納空間
２…前扉
３…前ロック機構
４…背壁
５…後ロック機構
６…物品収納体
Ｏ…開放状態
Ｓ…閉止状態
【図１】
2007117501.tif 000003
【図２】
2007117501.tif 000004
【図３】
2007117501.tif 000005
【図４】
2007117501.tif 000006
【図５】
2007117501.tif 000007
【図６】
2007117501.tif 000008